(57)【要約】【課題】首紐をかけたまま記録媒体の情報を外部に読み取らせる操作の利便性を向上させる。【解決手段】首紐と、外部から読み取り可能な情報が記録された記録媒体又はこれを収容するケースに一端が接続された吊紐と、首紐に設けられるドラムと、ドラムの内部に設けられ吊紐の他端の側を巻き取るべく回転付勢される回転体と、吊紐が回転体の回転付勢に抗してドラムの外部に引き出された状態で回転体の回転を阻止するための回転阻止部材と、回転阻止部材により回転体の回転が阻止された状態を解除するための解除部材とを有する調節装置とを備えたことを特徴とする記録媒体保持具。【選択図】図１
2010119677.tif 000002
【特許請求の範囲】
【請求項１】
首紐と、
外部から読み取り可能な情報が記録された記録媒体又はこれを収容するケースに一端が接続された吊紐と、
前記首紐に設けられるドラムと、前記ドラムの内部に設けられ前記吊紐の他端の側を巻き取るべく回転付勢される回転体と、前記吊紐が前記回転体の回転付勢に抗して前記ドラムの外部に引き出された状態で前記回転体の回転を阻止するための回転阻止部材と、当該回転阻止部材により前記回転体の回転が阻止された状態を解除するための解除部材とを有する調節装置と、
を備えたことを特徴とする記録媒体保持具。
【請求項２】
前記吊紐は伸縮可能であることを特徴とする請求項１に記載の記録媒体保持具。
【発明の詳細な説明】
【技術分野】
【０００１】
本発明は、記録媒体保持具に関する。
【背景技術】
【０００２】
使用者の首に掛けられる首紐と、この首紐に吊紐を介して吊るされるとともに同使用者の識別情報を記録する記録媒体を収容するケースとを備えた記録媒体保持具が一般に知られている。
【０００３】
特に、使用者が首紐を首に掛けたまま記録媒体の識別情報を外部の読取装置等に読み取らせることができるように、吊紐に伸縮性をもたせた記録媒体保持具が開示されている（例えば、特許文献１参照）。この記録媒体保持具では、首紐が、外管とその中に挿入される伸縮可能な内紐とで構成されており、外管の開口端部から突出した内紐の一部が、前述した吊紐の機能を果たしている。
【特許文献１】特開２００５−７３８０７号公報
【発明の開示】
【発明が解決しようとする課題】
【０００４】
しかしながら、前述した特許文献１に開示された記録媒体保持具の場合、使用者は、記録媒体の識別情報を読取装置に読み取らせるとき、伸ばされた内紐が縮もうとする張力に抗しつつケースを身体から離した状態を維持する必要がある。
【０００５】
このため、例えばログインの際に読取装置を通じて記録媒体からの識別情報の読み取りを要求する情報処理装置の場合、使用者は、一方の手で記録媒体のケースを把持して読取装置に識別情報を読み取らせつつ他方の手で情報処理装置の端末を操作する際に不便を感じるという問題がある。
【０００６】
本発明はかかる課題に鑑みてなされたものであり、その目的とするところは、首紐を掛けたまま記録媒体の情報を外部に読み取らせる操作の利便性を向上させることにある。
【課題を解決するための手段】
【０００７】
前記課題を解決するための発明は、首紐と、外部から読み取り可能な情報が記録された記録媒体又はこれを収容するケースに一端が接続された吊紐と、前記首紐に設けられるドラムと、前記ドラムの内部に設けられ前記吊紐の他端の側を巻き取るべく回転付勢される回転体と、前記吊紐が前記回転体の回転付勢に抗して前記ドラムの外部に引き出された状態で前記回転体の回転を阻止するための回転阻止部材と、当該回転阻止部材により前記回転体の回転が阻止された状態を解除するための解除部材とを有する調節装置とを備えたことを特徴とする記録媒体保持具である。
【０００８】
この記録媒体保持具によれば、使用者が記録媒体の情報を外部の読取装置等に読み取らせるべく記録媒体又はそのケースを把持して身体から離しつつ調節装置の回転阻止部材を操作すれば、回転体の回転付勢による吊紐の張力が記録媒体又はそのケースに作用しなくなる。また、例えば使用者が記録媒体を回収するべく解除部材を操作すれば、吊紐は回転体に自動的に巻き取られてドラムの内部に納まり、記録媒体又はそのケースは使用者の身体の元の位置に戻る。これにより、使用者は、回転阻止部材の操作から解除部材の操作までの間、記録媒体又はそのケースを把持しつつ身体から離した状態を維持する必要がなくなる。よって、この記録媒体保持具によれば、首紐をかけたまま記録媒体の情報を外部に読み取らせる操作の利便性が向上する。
【０００９】
また、かかる記録媒体保持具において、前記吊紐は伸縮可能であることが好ましい。
【００１０】
この記録媒体保持具によれば、記録媒体を外部の読取装置等の近傍に保持する時間がより短い場合には、使用者は、調節装置を使用することなく、吊紐の伸縮性を利用して記録媒体又はそのケースを身体から離したら短時間後にこれを戻すという操作を片手でできる。一方、記録媒体を読取装置の近傍に保持する時間がより長い場合には、使用者は、前述したように調節装置を使用できる。このように使用用途に応じて双方の機能を使い分けることによって、記録媒体の情報を外部に読み取らせる操作の利便性がより一層向上する。
【発明の効果】
【００１１】
本発明によれば、首紐を掛けたまま記録媒体の情報を外部に読み取らせる操作の利便性が向上する。
【発明を実施するための最良の形態】
【００１２】
図１〜図３を参照しつつ本実施の形態のＩＣカード保持具（記録媒体保持具）１について説明する。図１は、本実施の形態のＩＣカード保持具１の構成例を示す正面図である。図２は、本実施の形態の調節装置１４の正面内部の構成例を示す断面図である。図３は、本実施の形態のＩＣカード保持具１に保持されるＩＣカード２のカードリーダ（読取装置）３に対するかざし方の一例を示す模式図である。
【００１３】
図１に例示されるように、ＩＣカード保持具１は、使用者の首に掛けられるストラップ（首紐）１１と、ＩＣカード２を収容可能なケース１６と、ケース１６の舌片１６ｂの孔１６ｃに対し同孔１６ｃの径より大きな玉結び１５ａが係止されるリード線（吊紐）１５と、使用者の身体に対するケース１６の保持位置を調節する調節装置１４とを備えている。ここで、本実施の形態のリード線１５は、伸縮性を有している。
【００１４】
また、同図に例示されるように、ＩＣカード保持具１は、使用者が首に掛けた状態のストラップ１１の下部位置に取り付けられる着脱部材１２と、着脱部材１２及び調節装置１４を接続する接続紐１３とを更に備えている。ここで、着脱部材１２は、ストラップ１１に取り付けられている上部材１２ａと、接続紐１３が取り付けられている下部材１２ｂとが、接合面１２ｃを境にして所定の弾性部材（不図示）等を介して着脱可能に構成されている。
【００１５】
尚、このような着脱部材１２及び接続紐１３は、ＩＣカード保持具１にとって必ずしも必須の構成ではない。例えば、ＩＣカード保持具１では、ストラップ１１に調節装置１４が直接取り付けられていてもよい。
【００１６】
前述したケース１６は、透明な樹脂製のカードケースである本体１６ａと、同本体１６ａの上部に一体に形成される舌片１６ｂと、同舌片１６ｂに穿設されてリード線１５の玉結び１５ａが係止される孔１６ｃとを有している。但し、ケース１６は、ＩＣカード保持具１にとって必ずしも必須の構成ではなく、例えばＩＣカード２自体が吊紐１５に固定されていてもよい。
【００１７】
尚、このケース１６に収容されるＩＣカード２は、例えば、その内部又は表面に使用者の識別情報を記憶するＩＣタグ（不図示）が取り付けられているとともに、その表面に同使用者の顔写真や所属等が印刷されている。
【００１８】
図２に例示されるように、調節装置１４は、例えば円形状のドラム１４１と、ドラム１４１の内部に回転可能に軸支されてリード線１５を巻き取るための例えば円形状のロータ（回転体）１４２と、ドラム１４１の内周側壁とロータ１４２の外周側壁とを接続するバネ（回転体）１４４と、ロータ１４２の外周側壁からドラム１４１の内周側壁に向かって例えば複数個突設された突起（回転阻止部材）１４３と、ドラム１４１の内部でのロータ１４２の回転に伴う突起１４３の移動を阻止するストッパ（回転阻止部材）１４６と、このストッパ１４６を例えば図２の紙面表側から裏側に変位させて突起１４３の移動を阻止する状態と、同紙面裏側から表側に変位させて突起１４３の移動経路から退避させた状態とを切り替えるためのボタン（回転阻止部材、解除部材）１４５とを有している。
【００１９】
前述したボタン１４５は、例えば、ドラム１４１の内部の中央に、ロータ１４２の回転とは独立に且つ押し下げたり引き出したりする操作が可能となるように取り付けられているとともに、所定の部材（不図示）を介して前述したストッパ１４６と接続されている。この構成によって、使用者がボタン１４５をドラム１４１側に押し下げると、これと連動してストッパ１４６が突起１４３の移動経路を遮ってその移動を阻止し、使用者がボタン１４５をドラム１４１側から引き出すと、これと連動してストッパ１４６が突起１４３の移動経路から退避するようになっている。
【００２０】
或いは、前述したボタン１４５及びストッパ１４６は、例えば、所定の弾性部材等を用いて、使用者によるボタン１４５の押下によってストッパ１４６が突起１４３の移動経路を遮り、使用者によるボタン１４５の再度の押下によってストッパ１４６が突起１４３の移動経路から退避するように構成されていてもよい。
【００２１】
尚、ドラム１４１の正面には、同ドラム１４１の外部にボタン１４５を露出させるための所定の孔（不図示）が形成されている。
【００２２】
図３に例示されるように、使用者がＩＣカードホルダ１を首に掛けて携帯している状態では、ケース１６は同図中の点線で表わされる位置にある。ドラム１４１の内部では、ロータ１４２は、リード線１５の大部分を巻き取った状態でバネ１４４が縮んだまま停止している（図２でストッパ１４６が紙面表側に退避した状態）。
【００２３】
使用者がＩＣカード２をカードリーダ３にかざすべく同ＩＣカード２のケース１６を自分の身体から引き離している場合、ケース１６のリード線１５がドラム１４１の外部に引き出されることによって、ロータ１４２はバネ１４４の付勢に抗しつつ巻き取り方向と逆方向に回転する（図２でストッパ１４６が紙面表側に退避した状態）。
【００２４】
使用者は、リード線１５を、ＩＣカード２をカードリーダ３にかざし易い長さだけドラム１４１から引き出したところで、ボタン１４５を操作すると、ストッパ１４６と突起１４３との係合によって、ロータ１４２はバネ１４４の付勢を受けた状態で回転が阻止される（図２参照）。
【００２５】
使用者は、カードリーダ３の本体３１のセンサ面に対しＩＣカード２をケース１６ごと当接させ、脱落防止部材３３でケース１６を本体３１に固定する。これにより、情報処理装置４は、カードリーダ３を通じて、ＩＣカード２から使用者の識別情報を読み取り可能となる。
【００２６】
尚、図３の例示では、ケース１６の形状及び寸法は、同ケース１６がＩＣカード２を確実且つ容易に収容可能であるとともに本体３１に容易に固定可能となるように、ＩＣカード２及び本体３１の双方の形状及び寸法に応じて予め設定されている。また、同図の例示では、カードリーダ３は、ケース１６と略同形状をなす本体３１のセンサ面に対しスペーサ３２を介して脱落防止部材３３が設けられている。この脱落防止部材３３は、例えば、幅狭の板形状をなす弾性部材であり、本体３１及びスペーサ３２の底部に接合されている接合部３３と、この接合部３３を中心として本体３１のセンサ面側に屈曲可能でありケース１６を同センサ面側に付勢するための付勢部３３ｂと、この付勢部３３から直角に屈曲して延在しその端部に突起３３ｄが形成されて本体３１の上部に係止可能な係止部３３ｃとを一体に有している。この脱落防止部材３３で固定することにより、カードリーダ３に対するＩＣカード２のズレや脱落等が防止される。
【００２７】
情報処理装置４による処理が終了すると、使用者は、脱落防止部材３３によるケース１６の固定を解除し、カードリーダ３の本体３１のセンサ面からＩＣカード２をケース１６ごと離し、ケース１６を把持しつつ調節装置１４のボタン１４５を操作すると、ケース１６のリード線１５はバネ１４４の付勢によってロータ１４２に自動的に巻き取られてドラム１４１の内部に納まり、ＩＣカード２のケース１６は使用者の身体の元の位置に戻る（図２でストッパ１４６が紙面表側に退避した状態）。
【００２８】
これにより、使用者は、ＩＣカード２のケース１６をカードリーダ３の本体３１に固定している間、例えばこのケース１６を把持しつつ身体から離した状態を維持する必要がなくなる。よって、このＩＣカード保持具１によれば、ケース１６に収容されたＩＣカード２をカードリーダ３にかざす操作の利便性が向上する。
【００２９】
例えば、情報処理装置４が会社内のパーソナルコンピュータであり、このコンピュータがログインの際にカードリーダ３を通じてＩＣカード２からの社員の識別情報の読み取りを要求する場合、前述したＩＣカード保持具１によれば、社員は、カードリーダ３にＩＣカード２をかざしつつ両方の手でパーソナルコンピュータの端末を操作することができる。
【００３０】
また、例えば、情報処理装置４が会社のセキュリティ管理のためのサーバであり、カードリーダ２が会社の入退室口に設置されるものである場合、ＩＣカード２をカードリーダ３にかざしている時間は短くてよいため、社員は、調節装置１４のボタン１４５を操作することなく、前述したリード線１５の伸縮性を利用してＩＣカード２のケース１６を身体から離したら短時間後にこれを戻すという操作を片手でできる。
【００３１】
このように使用用途に応じて双方の機能を使い分けることによって、ＩＣカード２をカードリーダ３にかざす操作の利便性がより一層向上する。但し、これに限定されるものではなく、前述したように、ＩＣカード保持具１の使用用途が、ＩＣカード２とカードリーダ３との当接時間の比較的長い形態に限られる場合には、必ずしもリード線１５に伸縮性を持たせる必要はない。
【００３２】
以上、本実施の形態のＩＣカード保持具１によれば、例えば、ＩＣカード２をカードリーダ３にかざす都度、ケース１６からＩＣカード２を取り出しこれを戻すといった動作が必要なくなるため、ケース１６の劣化が抑制される上に、ＩＣカード２をカードリーダ３の近くに置き忘れるといった事故も低減される。また、ＩＣカード２をカードリーダ３にかざす都度、前述した着脱部材１２を操作して下部材１２ｂから下だけを切り離すといった動作も必要なくなるため、下部材１２ｂを含むＩＣカード２一式をカードリーダ３の近くに置き忘れるといった事故も低減される。
【００３３】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００３４】
前述した実施の形態では、記録媒体は、ＩＣカードであったが、これに限定されるものではなく、例えばバーコードが印刷されたカード等であってもよい。また、ケース１６が磁気メモリの部分のみを露出可能な構成を有していれば、記録媒体は、例えば磁気カードであってもよい。
【００３５】
前述した実施の形態では、ロータ１４２に設けられた突起１４３と、ストッパ１４６と、ボタン１４５とが、回転阻止部材及び解除部材の機能を果たす構成であったが、これに限定されるものではない。要するに、リード線１５がドラム１４１の外部に引き出された状態でロータ１４２の回転を回転阻止する機能と、この回転阻止を解除する機能とを果たす構成であれば、如何なる構成であってもよい。
【図面の簡単な説明】
【００３６】
【図１】本実施の形態のＩＣカード保持具の構成例を示す正面図である。
【図２】本実施の形態の調節装置の正面内部の構成例を示す断面図である。
【図３】本実施の形態のＩＣカード保持具に保持されるＩＣカードのカードリーダに対するかざし方の一例を示す模式図である。
【符号の説明】
【００３７】
１  ＩＣカード保持具、２  ＩＣカード、３  カードリーダ、１１  ストラップ、
１２  着脱部材、１２ａ  上部材、１２ｂ  下部材、１２ｃ  接合面、
１３  接続紐、１４  調節装置、１５  リード線、１５ａ  玉結び、
１６  ケース、１６ａ  本体、１６ｂ  舌片、１６ｃ  孔、
３１  本体、３２  スペーサ、３３  脱落防止部材、３３ａ  接合部、
３３ｂ  付勢部、３３ｃ  係止部、３３ｄ  突起、１４１  ドラム、
１４２  ロータ、１４３  突起、１４４  バネ、１４５  ボタン、
１４６  ストッパ
【図１】
2010119677.tif 000003
【図２】
2010119677.tif 000004
【図３】
2010119677.tif 000005